(57)【要約】【課題】管理者を要することなくネットワーク会議を円滑に進行させる。【解決手段】サーバ１は各クライアントのうちＰＴＴスイッチを最初に操作したクライアントにネットワーク会議における発言許可識別情報を送信する。この送信先のクライアントは発言許可識別情報の受信後にホワイトボード情報の作成を行なえる。このクライアントにより作成されて送信されたホワイトボード情報をサーバ１の通信インタフェース１３が受信すると、制御部１１はこの情報を通信インタフェース１３を介して各クライアントに送信する。各クライアントの通信インタフェースがサーバ１からの情報を受信すると、この情報を表示装置に表示させる。これにより発言権を得たクライアントのみが入力操作にしたがってホワイトボード情報を作成することができる。【選択図】      図２
2007122361.tif 000002
【特許請求の範囲】
【請求項１】
ネットワークを介して接続される複数の通信端末のいずれかから送信されたネットワーク会議における発言予約識別情報を受信する発言予約受信手段と、
前記複数の通信端末のうち前記発言予約受信手段により受信した発言予約識別情報の送信元である単一の通信端末に前記ネットワーク会議における発言許可識別情報を送信する発言許可送信手段と、
この発言許可送信手段による発言許可識別情報の送信先の通信端末から送信された前記通信端末のそれぞれの表示装置への表示用情報を受信する表示情報受信手段と、
この表示情報受信手段により受信した表示用情報を前記それぞれの通信端末に配信する配信手段と
を備えたことを特徴とするネットワーク会議用サーバ装置。
【請求項２】
前記複数の通信端末のうち前記発言予約識別情報の送信元である単一の通信端末から前記発言予約識別情報と独立して送信された前記通信端末のそれぞれの音声再生装置への音声情報を受信する音声受信手段と、
この音声受信手段により受信した音声情報を前記それぞれの通信端末に配信する音声配信手段と
をさらに備えたことを特徴とする請求項１に記載のネットワーク会議用サーバ装置。
【請求項３】
前記発言予約受信手段により受信した発言予約識別情報の送信元である通信端末に固有の識別情報を当該識別情報の受信順と関連付けて管理する管理手段をさらに備え、
前記発言許可送信手段は、
前記管理手段により管理する最初の受信順と関連付けられる識別情報が付与される通信端末に前記発言許可識別情報を送信し、
前記配信手段により配信した表示用情報の送信元の通信端末に付与される前記識別情報を前記管理手段による管理対象から除外する管理情報変更手段をさらに備えた
ことを特徴とする請求項１に記載のネットワーク会議用サーバ装置。
【請求項４】
サーバ装置と複数の通信端末とがネットワーク接続されたネットワーク会議システムであって、
前記サーバ装置は、
前記複数の通信端末のいずれかから送信されたネットワーク会議における発言予約識別情報を受信する発言予約受信手段と、
前記複数の通信端末のうち前記発言予約受信手段により受信した発言予約識別情報の送信元の単一の通信端末に前記ネットワーク会議における発言許可識別情報を送信する発言許可送信手段と、
この発言許可送信手段による発言許可識別情報の送信先の通信端末から送信された前記通信端末のそれぞれの表示装置への表示用情報を受信する表示情報受信手段と、
この表示情報受信手段により受信した表示用情報を前記それぞれの通信端末に配信する配信手段とを備え、
前記それぞれの通信端末は、
前記サーバ装置の配信手段が配信した表示用情報を表示する表示装置と、
前記ネットワーク会議における発言予約の入力を受け付ける発言予約入力手段と、
この入力にともなって前記発言予約識別情報を前記サーバ装置に送信する発言予約送信手段と、
前記サーバ装置の発言許可送信手段により送信された発言許可識別情報を受信する発言許可受信手段と、
この発言許可受信手段による前記発言許可識別情報の受信後に前記表示用情報の入力を受け付ける表示用情報入力手段と、
この入力した表示用情報を前記サーバ装置に送信する表示用情報送信手段とを備えた
ことを特徴とするネットワーク会議システム。
【発明の詳細な説明】
【技術分野】
【０００１】
本発明は、ネットワークを介して接続される複数の通信端末からの配信要求に基づいて情報を配信するネットワーク会議用サーバ装置およびネットワーク会議システムに関する。
【背景技術】
【０００２】
従来、ユーザが操作する複数の通信端末とサーバ装置をネットワーク接続したネットワーク会議システムが知られている。
【０００３】
このネットワーク会議システムではネットワーク会議への参加者のいずれかの通信端末は当該端末側で入力した文字情報や図形情報などのネットワーク会議の内容に関する情報の各通信端末への配信をサーバ装置に要求する。サーバ装置はこの配信要求を受けた情報を各通信端末に配信して、これを当該通信端末の表示装置に表示させる。
【０００４】
このようなネットワーク会議システムでは、ネットワーク会議を円滑に進行できるよう、例えば特許文献１に開示されたようにネットワーク会議の管理者用の通信端末をネットワーク接続し、この端末の当該管理者による操作を経て前述した通信端末のいずれかに情報の配信要求の権限を付与するものがある。
【特許文献１】特開２００１−３３１４３１号公報
【発明の開示】
【発明が解決しようとする課題】
【０００５】
しかしながら、前述したような管理者用の通信端末を設けた形態であると、ネットワーク会議における情報の配信要求の権限の付与を管理者による通信端末の操作に委ねることになるので、参加者の数が多いなどの場合に当該管理者の負担が重くなるばかりでなく、ネットワークの会議の進行が円滑に行なわれなくなる可能性がある。
【０００６】
そこで、本発明の目的は、管理者を要することなくネットワーク会議を円滑に進行させることが可能になるネットワーク会議用サーバ装置およびネットワーク会議システムを提供することにある。
【課題を解決するための手段】
【０００７】
すなわち、本発明に係わるネットワーク会議用サーバ装置は、ネットワークを介して接続される複数の通信端末のいずれかから送信されたネットワーク会議における発言予約識別情報を受信し、この受信した発言予約識別情報の送信元の単一の通信端末に発言許可識別情報を送信し、この発言許可識別情報の送信先の通信端末からの表示用情報を受信してそれぞれの通信端末に配信することを特徴とする。
【発明の効果】
【０００８】
本発明に係わるネットワーク会議用サーバ装置では、ネットワークを介して接続される複数の通信端末のいずれかからのネットワーク会議における発言予約を行なった単一の通信端末に発言許可を行ない、この通信端末からの表示用情報を受信してそれぞれの通信端末に配信するので発言権を得たクライアントのみが入力操作にしたがってホワイトボード情報を作成することができる。よって管理者を要することなくネットワーク会議を円滑に進行させることができる。
【発明を実施するための最良の形態】
【０００９】
以下図面により本発明の実施形態について説明する。  
図１は、本発明の実施形態にしたがったネットワーク会議システムの構成例を示すブロック図である。  
図１に示すように、本発明の実施形態にしたがったネットワーク会議システムはサーバ１、クライアント２，３，４，５および他の図示しないクライアントがネットワーク１０を介して接続される。クライアント２，３，４，５を含む各クライアントは例えばデスクトップ型のパーソナルコンピュータである。各クライアントはサーバ１との通信機能を有する通信端末であれば他の種別の装置であってもよい。
【００１０】
サーバ１は各クライアントに固有の識別情報およびホワイトボード情報を含む各種情報の入出力を管理する。ホワイトボード情報とはネットワーク会議の内容に関する情報として各クライアントの表示装置に共通して表示させる文字や図形などの情報である。
【００１１】
ホワイトボード情報はネットワーク会議の発言権を取得したクライアントの入力装置が操作されることで作成または更新される。ネットワーク会議における発言権とは音声入力およびこの入力した音声の各クライアントへの出力の権限を意味する。
【００１２】
ネットワーク会議の発言権は各クライアントのうちいずれか１台が取得する。サーバ１および各クライアントの間では前述した各種情報を暗号化した上で有線または無線により通信する。
【００１３】
各クライアントのうち発言権を取得していないクライアントは、このクライアントのユーザによるネットワーク会議における発言予約を示す予約識別情報を当該発言予約を行なおうとするユーザからの入力装置の操作にしたがってサーバ１に送信する機能を有する。
【００１４】
サーバ１はこの発言予約識別情報を受信すると発言予約識別情報の送信元である単一のクライアントにネットワーク会議における発言権を付与するための発言許可識別情報を送信する。サーバ１はこの送信先、つまり発言権を取得したクライアント側での作成または更新を経て送信されたホワイトボード情報を受信して、これを各クライアントに配信する。この配信された情報は各クライアントの表示装置に表示される。
【００１５】
図２は、本発明の実施形態にしたがったネットワーク会議システムのサーバ１の内部構成例を示すブロック図である。  
図２に示すように、サーバ１は装置全体を制御する制御部１１を備える。また、サーバ１は記憶部１２および通信インタフェース１３を備える。制御部１１、記憶部１２および通信インタフェース１３はバス１４を介して相互に接続される。
【００１６】
記憶部１２は制御用のプログラム、会議参加クライアントテーブルおよび発言予約リストを記憶する。会議参加クライアントテーブルおよび発言予約リストについては後述する。通信インタフェース１３は各クライアントとの通信を行なう。
【００１７】
図３は、本発明の実施形態にしたがったネットワーク会議システムのサーバ１の記憶部１２に記憶される会議参加クライアントテーブルの構成例を表形式で示す図である。図４は、本発明の実施形態にしたがったネットワーク会議システムのクライアント２の内部構成例を示すブロック図である。
【００１８】
図４に示すように、クライアント２は装置全体の制御を司る制御部２１、記憶部２２、撮像装置２３、表示装置２４、マイクロホン２５、ＰＴＴ（Ｐｕｓｈ  ｔｏ  Ｔａｌｋ）スイッチ２６、音声出力部２７、入力装置２８および通信インタフェース２９を備える。これらはバス３０を介して相互に接続される。入力装置２８はキーボードやマウスである。
【００１９】
記憶部２２は制御用のプログラムを記憶する。撮像装置２３はクライアント２のユーザの顔を撮像する。表示装置２４はネットワーク会議への参加者を特定する情報やホワイトボード情報を個別のウインドウ内にそれぞれ表示する。参加者を特定する情報とは参加者の顔画像や氏名などである。  
通信インタフェース２９はサーバ１との通信を行なう。他の各クライアントの内部構成はクライアント２の内部構成と同様である。
【００２０】
記憶部１２に記憶された会議参加クライアントテーブルではサーバ１を介したネットワーク会議を行なうクライアントのＩＰアドレスが管理される。  
各クライアントの制御部２１はユーザによる入力装置２８に対する操作を経て、ネットワーク会議への参加要求または離脱要求を示す情報を通信インタフェース２９を介してサーバ１に送信する。
【００２１】
サーバ１の通信インタフェース１３が参加要求を示す情報を受信した場合には、制御部１１はこの情報の送信元のクライアントのＩＰアドレスを記憶部１２に記憶される会議参加クライアントテーブルに登録する。
【００２２】
サーバ１の制御部１１は、この登録したＩＰアドレスに対応するクライアントに対し、ネットワーク会議への参加者を示す情報などを含む参加識別情報を通信インタフェース１３を介して送信する。この情報を通信インタフェース２９により受信したクライアントの制御部２１は前述したネットワーク会議への参加者を示す情報などを表示装置２４に表示させる。
【００２３】
一方、サーバ１の通信インタフェース１３がネットワーク会議からの離脱要求を示す情報を受信した場合、制御部１１はこの情報の送信元のクライアントのＩＰアドレスを記憶部１２に記憶される会議参加クライアントテーブルから削除する。
【００２４】
ホワイトボード情報の内容はサーバ１が記憶部１２に記憶することで管理され、当該サーバ１がこの情報を各クライアントに配信することで当該クライアントの記憶部２２に同じ情報が記憶される。
【００２５】
各クライアントはサーバ１から配信されたホワイトボード情報を表示装置２４の画面上に設けたホワイトボード情報用のウインドウ内に表示させる。これにより単一のクライアント側で作成又は更新されたホワイトボード情報が各クライアントの表示装置２４の画面上にも共通に表示されることになる。
【００２６】
各クライアントのうちネットワーク会議の発言権を取得したクライアントのユーザはは入力装置２８への予め定められた操作によりホワイトボード情報用の新規のウインドウを表示装置２４に表示させ、この表示されたウインドウ内に入力装置２８を用いて文字情報などを入力してこの情報がサーバ１に送信されることで当該情報が各クライアントの表示装置２４に表示される。
【００２７】
また、発言権を取得したクライアントのユーザは、この表示されるホワイトボード情報用のウインドウ内に入力装置２８を用いて文字情報などの追加入力などを行なうことで各クライアントの表示装置２４に表示されるホワイトボード情報を更新することができる。一方、発言権を取得していないクライアントの入力装置２８に対する操作を行なっても表示装置２４に表示されるホワイトボード情報用のウインドウ内への情報入力は行なえない。
【００２８】
ＰＴＴスイッチ２６はクライアントが発言権の取得を行なうためにユーザが操作するスイッチである。このネットワーク会議システムでは、各クライアントのうち発言権を取得したクライアントのマイクロホン２５から入力した音声がサーバ１を介して他の各クライアントの音声出力部２７から出力される。一方、各クライアントのうち発言権を取得していないクライアントのマイクロホン２５は音声入力を受け付けない。
【００２９】
次に、図１に示した構成のネットワーク会議システムの動作について説明する。ここではサーバ１は５台分のクライアントＩＰアドレスを記憶部１２内における会議参加クライアントテーブルに登録しており、いずれのクライアントも発言権を取得していないと仮定する。
【００３０】
図５は、本発明の実施形態にしたがったネットワーク会議システムのサーバ１の処理動作の一例を示すフローチャートである。図６は、本発明の実施形態にしたがったネットワーク会議システムのサーバ１の記憶部１２に記憶された発言予約リストの構成例を表形式で示す図である。
【００３１】
発言予約リストでは、ＰＴＴスイッチ２６が操作されたクライアントのＩＰアドレスが発言要求元ＩＰアドレスとして当該ＩＰアドレスの発言予約リストへの登録順番とともに管理される。
【００３２】
図７は、本発明の実施形態にしたがったネットワーク会議システムの各クライアントの表示装置２４に表示されるネットワーク会議用画面の一例を示す図である。  
会議参加クライアントテーブルにＩＰアドレスが登録されており、制御部１１から送信された参加識別情報を各クライアントの通信インタフェース２９が受信した場合には、制御部２１は表示装置２４に図７に示すように発言権ウインドウ３１、発言状態ウインドウ３２および発言切替アイコン３３を表示させる。
【００３３】
発言権ウインドウ３１はクライアントに発言権が付与されているか否かを示すウインドウである。発言状態ウインドウ３２はクライアント側の操作によるホワイトボード情報の作成や更新およびマイクロホン２５への音声入力が行なえるか否かを示すウインドウである。
【００３４】
各クライアントのうち発言権を取得しているクライアントの表示装置２４に表示される発言権ウインドウ３１には「発言権あり」の文字が表示され、発言権を取得していないクライアントの表示装置２４に表示される発言権ウインドウ３１には「発言権なし」の文字が表示される。
【００３５】
発言状態ウインドウ３２には「発言中」および「発言ＯＦＦ」のいずれかの文字が表示される。初期状態では発言状態ウインドウ３２に表示される文字は「発言ＯＦＦ」である。
【００３６】
発言権ウインドウ３１に「発言権あり」の文字が表示されており、発言状態ウインドウ３２に表示される文字が「発言中」である場合には、ユーザによる入力装置２８の操作にしたがったホワイトボード情報の作成や更新、およびマイクロホン２５への音声入力が行なえる。
【００３７】
一方、発言権ウインドウ３１に「発言権あり」の文字が表示されていても、発言状態ウインドウ３２に表示される文字が「発言ＯＦＦ」である場合には、ホワイトボード情報の作成や更新およびマイクロホン２５への音声入力は行なえない。
【００３８】
各クライアントの制御部２１は、ＰＴＴスイッチ２６が操作された場合に発言予約識別情報を通信インタフェース２９を介してサーバ１に送信する（ステップＳ１のＹＥＳ）。この情報は当該情報の送信元のクライアントに個別に付与されたＩＰアドレスの情報を含む。
【００３９】
サーバ１の制御部１１は前述した発言予約識別情報を通信インタフェース１３を介して受信する。制御部１１はこの情報に含まれるＩＰアドレスを記憶部１２に記憶される発言予約リスト上に登録する（ステップＳ２）。
【００４０】
制御部１１は記憶部１２に記憶される発言予約リスト上の最初の登録順番と関連付けられるＩＰアドレスに対応するクライアントに対しネットワーク会議における発言権を付与するための発言許可識別情報を通信インタフェース１３を介して送信する（ステップＳ３）。
【００４１】
この識別情報をクライアントの通信インタフェース２９が受信すると、制御部２１は発言権を取得した事を認識し、発言権ウインドウ３１に表示される文字を「発言権あり」に更新する。
【００４２】
発言切替アイコン３３はホワイトボード情報の作成、更新とマイクロホン２５への音声入力との有効および無効を切り替える際に入力装置２８を用いて選択するアイコンである。
【００４３】
発言権を取得したクライアントの表示装置２４に表示されている発言切替アイコン３３がユーザによる入力装置２８に対する操作にしたがって選択されると、制御部２１は表示装置２４に表示される発言状態ウインドウ３２に表示される文字を「発言ＯＦＦ」から「発言中」に更新する。
【００４４】
クライアントの表示装置２４に表示される発言状態ウインドウ３２の文字が「発言中」に切り替わると、図７に示すように、表示装置２４に表示されたネットワーク会議用画面にホワイトボード情報用のウインドウＷ１が表示される。また、表示装置２４には各参加者の顔画像や氏名などを表示させるための参加者ウインドウＷ２〜Ｗ５が表示される。
【００４５】
各クライアントの制御部２１は撮像装置２３により撮影したユーザの顔の画像情報を通信インタフェース２９を介して常にサーバ１に送信している。この画像情報がサーバ１の通信インタフェース１３が受信すると、サーバ１の制御部１１はこの画像情報を記憶部１２に記憶し、この画像情報を表示装置２４のウインドウＷ２〜Ｗ５のそれぞれに表示させる。
【００４６】
発言状態ウインドウ３２に表示される文字が「発言中」に切り替わった状態では、この「発言中」と表示されたウインドウが表示された表示装置２４を備えるクライアントのユーザが入力装置２８を用いてホワイトボード情報用のウインドウＷ１内への情報入力を行なうことでホワイトボード情報の作成または記憶部２２に既に記憶されたホワイトボード情報の更新を行なうことができる。また、マイクロホン２５への音声入力が有効となる。
【００４７】
一方、発言状態ウインドウ３２に表示される文字が「発言ＯＦＦ」である状態では、この「発言ＯＦＦ」と表示されたウインドウが表示された表示装置２４を備えるクライアントのユーザは入力装置２８に対する操作を行なってもホワイトボード情報用のウインドウＷ１内への情報入力を行なうことはできない。また、マイクロホン２５への音声入力は無効となる。
【００４８】
制御部２１は前述のように作成または更新されたホワイトボード情報を入力装置２８への操作にしたがった送信用メニューの選択を経て通信インタフェース２９を介してサーバ１に送信される。また、このクライアントの制御部２１はマイクロホン２５に入力された音声情報をホワイトボード情報とは別に通信インタフェース２９を介してサーバ１に送信する。
【００４９】
発言許可識別情報を受信したクライアント、つまり発言予約リストの最初の登録順番と対応するＩＰアドレスが付与されたクライアントから送信されたホワイトボード情報をサーバ１の通信インタフェース１３が受信する（ステップＳ４）と、制御部１１はこの情報を記憶部１２に記憶し、この記憶した情報を通信インタフェース１３を介して他の各クライアントに配信する（ステップＳ５）。
【００５０】
また、発言許可識別情報を受信したクライアントから送信された音声情報をサーバ１の通信インタフェース１３が受信すると、制御部１１はこの情報を記憶部１２に記憶し、この記憶した情報を通信インタフェース１３を介して各クライアントに配信する。
【００５１】
各クライアントの通信インタフェース２９がサーバ１からのホワイトボード情報を受信すると当該クライアントの制御部２１はこの情報を記憶部２２に記憶し、この記憶した情報を表示装置２４に表示させる。
【００５２】
また、各クライアントの通信インタフェース２９がサーバ１からの音声情報を受信すると当該クライアントの制御部２１はこの情報を記憶部２２に記憶し、これを音声出力部２７に出力させる。
【００５３】
発言を終了したユーザが入力装置２８の操作により表示装置２４に表示される発言切替アイコン３３を選択すると、制御部２１は表示装置２４に表示される発言状態ウインドウ３２に表示される文字を「発言ＯＦＦ」に更新するとともに発言権ウインドウ３１に表示される文字を「発言権なし」に更新した上で、発言権の放棄を示す発言終了識別情報を通信インタフェース２９を介してサーバ１に送信する。
【００５４】
そして、サーバ１の通信インタフェース１３がクライアントからの発言終了識別情報を受信すると、制御部１１は発言終了識別情報の送信元であるクライアントのＩＰアドレスを記憶部１２に記憶される発言予約リストから削除する（ステップＳ６）。
【００５５】
そして、制御部１１は前述したＩＰアドレスの削除を施した発言予約リスト上の最初の登録順番と関連付けられるＩＰアドレスに対応するクライアントに対し発言許可識別情報を通信インタフェース１３を介して出力する。これにより他のクライアントが発言権を取得してホワイトボード情報の更新や音声入力を行なうことができる。
【００５６】
以上のように、本発明の実施形態にしたがったネットワーク会議システムでは、各クライアントのうち、ＰＴＴスイッチ２６の操作にしたがって発言権を取得したクライアントからの操作にしたがって各クライアントの表示装置２４に表示させるホワイドボード情報が作成又は更新され、その他の各クライアント側で操作を行なってもホワイドボード情報の作成又は更新がなされない。よって、ネットワーク会議における発言権を得たクライアントのみが入力操作にしたがってホワイトボード情報を作成又は更新することができる。よって、ネットワーク会議を円滑に進行させることができる。
【００５７】
前述した実施形態では、表示装置２４に表示された発言権ウインドウ３１に「発言権あり」の文字が表示されていても発言状態ウインドウ３２に表示される文字が「発言ＯＦＦ」である場合にはこの表示装置２４を備えるクライアント側でのホワイトボード情報の作成、更新およびマイクロホン２５への音声入力を行なえないと説明した。しかしこれに限らず、発言権ウインドウ３１に「発言権あり」の文字が表示されていれば、発言状態ウインドウ３２に表示される文字が「発言ＯＦＦ」であっても当該発言状態ウインドウ３２の表示先の表示装置２４を備えるクライアントのユーザが入力装置２８に対する操作を行なうことでホワイトボード情報の作成や更新を行なえるようにしてもよい。
【００５８】
図８は、本発明の実施形態にしたがったネットワーク会議システムの各クライアントの表示装置２４に表示されるネットワーク会議用画面の他の例を示す図である。  
また、各クライアントは入力装置２８に対する操作によりホワイトボード情報の下書き情報の作成機能を有していてもよい。この場合には、クライアントはホワイトボード情報の下書き作成を行なおうとするユーザがＰＴＴスイッチ２６の操作の有無に関わらず入力装置２８に対する予め定められた操作を行なうことで、ホワイトボード情報の下書き用の新たなウインドウＷ６を表示装置２４に表示させ、入力装置２８に対する操作を行なって当該ウインドウ内において文字や図形を表示させる。これらの文字や図形の情報は制御部２１が記憶部２２に一時的に保存する。
【００５９】
このクライアントのＰＴＴスイッチ２６の操作を経てサーバ１からの発言許可識別情報を通信インタフェース２９が受信した場合には、制御部２１はユーザが入力装置２８に対する操作を行なうことで、前述した下書き用のホワイトボード情報を第２のホワイトボード情報として通信インタフェース２９を介してサーバ１に送信する。この第２のホワイトボード情報をサーバ１の通信インタフェース１３が受信すると、制御部１１はこの情報を通信インタフェース１３を介して各クライアントに送信する。
【００６０】
各クライアントの通信インタフェース２９がサーバ１からの第２のホワイトボード情報を受信すると、制御部２１はこの情報を記憶部２２に記憶し、この情報を表示装置２４のウインドウＷ６に表示させる。これにより各クライアントのユーザはＰＴＴスイッチ２６の操作の有無に関わらずホワイトボード情報を作成することができるので、ネットワーク会議がより円滑に進行する。
【００６１】
また、サーバ１は各クライアントにより作成又は更新したホワイトボード情報の各項目の作成者の違いが明確になるよう、ホワイトボード情報の更新がなされる度にこの前後の情報の差異を認識して、差分の情報の送信元のＩＰアドレスに対して予め定められた色を文字や図形に反映させることで、ホワイトボード情報の各項目の作成者が区別できるようにしてもよい。
【００６２】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６３】
【図１】本発明の実施形態にしたがったネットワーク会議システムの構成例を示すブロック図。
【図２】本発明の実施形態にしたがったネットワーク会議システムのサーバ１の内部構成例を示すブロック図。
【図３】本発明の実施形態にしたがったネットワーク会議システムのサーバ１の記憶部１２に記憶される会議参加クライアントテーブルの構成例を表形式で示す図。
【図４】本発明の実施形態にしたがったネットワーク会議システムのクライアント２の内部構成例を示すブロック図。
【図５】本発明の実施形態にしたがったネットワーク会議システムのサーバ１の処理動作の一例を示すフローチャート。
【図６】本発明の実施形態にしたがったネットワーク会議システムのサーバ１の記憶部１２に記憶された発言予約リストの構成例を表形式で示す図。
【図７】本発明の実施形態にしたがったネットワーク会議システムの各クライアントの表示装置２４に表示されるネットワーク会議用画面の一例を示す図。
【図８】本発明の実施形態にしたがったネットワーク会議システムの各クライアントの表示装置２４に表示されるネットワーク会議用画面の他の例を示す図。
【符号の説明】
【００６４】
１…サーバ、２〜５…クライアント、１０…ネットワーク、１１，２１…制御部、１２，２２…記憶部、１３，２９…通信インタフェース、１４，３０…バス、２３…撮像装置、２４…表示装置、２５…マイクロホン、２６…ＰＴＴ（Ｐｕｓｈ  ｔｏ  Ｔａｌｋ）スイッチ、２７…音声出力部、２８…入力装置、３１…発言権ウインドウ、３２…発言状態ウインドウ、３３…発言切替アイコン。
【図１】
2007122361.tif 000003
【図２】
2007122361.tif 000004
【図３】
2007122361.tif 000005
【図４】
2007122361.tif 000006
【図５】
2007122361.tif 000007
【図６】
2007122361.tif 000008
【図７】
2007122361.tif 000009
【図８】
2007122361.tif 000010